(57)【要約】 【課題】  遊技盤の遊技領域を下方に拡張した場合にも、上皿、下皿の球収容能力を減少させることがないパチンコ機を提供する。【解決手段】  下皿３の横側に配設されていた操作ハンドル４を上方の上皿２に移設して、下皿３の横にスペースを確保し、下皿３をパチンコ機の横方向に拡幅して球収容能力を増加させる。さらに、操作ハンドル４を設けた上皿２を横方向に拡幅することによって、上皿２の球収容能力をも増加させることができる。なお、操作ハンドル４は、上皿２の内部、または端部、または前方側面に枢着することができる。【選択図】    図１
2005204731.tif 000002
【特許請求の範囲】
【請求項１】
遊技盤面を下方に拡張したパチンコ機において、球発射用の操作ハンドルを上皿に設けたうえに、上皿の下方に配設される下皿を遊技盤面の横方向に拡幅して、下皿の球収容能力を増大したことを特徴とするパチンコ機。
【請求項２】
操作ハンドルが設けられた上皿を遊技盤面の横方向に拡幅して、上皿の球収容能力を増大したことを特徴とする請求項１に記載のパチンコ機。
【請求項３】
操作ハンドルを上皿内に枢設した請求項１又は２に記載のパチンコ機。
【請求項４】
操作ハンドルを上皿の一方の端部に枢設した請求項１又は２に記載のパチンコ機。
【請求項５】
操作ハンドルを上皿の前方側面に枢設した請求項１又は２に記載のパチンコ機。
【請求項６】
手載せ台を下皿と一体に設けたことを特徴とする請求項１〜５の何れかに記載のパチンコ機。
【請求項７】
遊技盤面を下方に拡張したパチンコ機において、球皿を、賞球導入口から導入された球を貯留するとともにその球を球排出口より球皿外に排出可能にした一体型のものとして、当該球皿の上部に球発射用の操作ハンドルを設けたうえに、当該球皿を遊技盤面の横方向に拡幅して、球皿の球収容能力を増大したことを特徴とするパチンコ機。
【発明の詳細な説明】
【技術分野】
【０００１】
本発明は、遊技盤の面積を従来より広くしたパチンコ機に関するものである。
【背景技術】
【０００２】
通常のパチンコ機の前面には、図６に概略構成を示すように、略円形状の遊技盤１、その下方の賞球貯留用の上皿２、上皿２のオーバーフロー球を貯留する下皿３、球発射用の操作ハンドル４等が装着されている。操作ハンドル４は、図７に示すような弾球発射装置の可変抵抗器５の回動軸５ａに装着されており、操作ハンドル４を回動するとモータ(図示されていない)により半円板状のカム６が回転されて、支軸７に延設されたローラー部８を所定角度回動する。ローラー部８の回動により同じく支軸７に取り付けられた上向きの弾球槌９が回動されて、球を打球部１０により弾いて上方の遊技盤１内に打込むことができる。遊技盤１には各種の入賞口１１やセンター役物１２などが配設されており、球が入賞してセンター役物１２の複数の図柄が揃った時に大当りを発生させて、遊技者は賞球を獲得することができる。
【０００３】
上記のようなパチンコ機において、最近は遊技の興趣を盛り上げるためにセンター役物１２の大型化が進められており、このため遊技領域を大きくした遊技盤１が望まれている。そこで、出願人は特許文献１の図２(本図８)に記載されたところの、弾球槌９を打球部１０が支軸７の下方を回動する下向きとして遊技領域を下方に拡張したパチンコ機を先に出願した。図８中の１５が拡張された遊技領域である。
【０００４】
しかしながら、上記のパチンコ機においては図９に示すように、遊技盤面を下方に拡張すると上皿２の位置が下方に移動するので、上皿２や下皿３の厚みが減少し球収容量が減少してしまう。そこで、上皿２、下皿３を遊技盤面の横方向に拡幅しようとしても、操作ハンドル４自体が邪魔になったり、或いは操作ハンドル４掴み用のスペースを確保する必要があったりして、従来の配置構成では上皿２、下皿３を横に拡幅して球の収容量を増やすことはできなかった。このような球収容量の減少は、今日のパチンコ機における球の高速大量払出しの流れに逆行するものであるので、決して好ましいことではない。
【特許文献１】特開２００３−３２５７９０号公報  (図２)
【発明の開示】
【発明が解決しようとする課題】
【０００５】
本発明は上記した従来の問題点を解決して、遊技盤の遊技領域を下方に拡張した場合にも、上皿、下皿の球収容能力を減少させることがないパチンコ機を提供するためになされたものである。
【課題を解決するための手段】
【０００６】
上記の課題を解決するためになされた本発明のパチンコ機は、遊技盤面を下方に拡張したパチンコ機において、球発射用の操作ハンドルを上皿に設けたうえに、上皿の下方に配設される下皿を遊技盤面の横方向に拡幅して、下皿の球収容能力を増大したことを特徴とするものである。また、操作ハンドルが設けられた上皿を遊技盤面の横方向に拡幅して、上皿の球収容能力を増大することもできる。また、操作ハンドルを上皿内に枢設することができ、或いは、上皿の一方の端部に枢設することができ、或いは、操作ハンドルを上皿の前方側面に枢設することができる。また、手載せ台を下皿と一体に設けることができる。  又、本発明のパチンコ機は、遊技盤面を下方に拡張したパチンコ機において、球皿を、賞球導入口から導入された球を貯留するとともにその球を球排出口より球皿外に排出可能にした一体型のものとして、当該球皿の上部に球発射用の操作ハンドルを設けたうえに、当該球皿を遊技盤面の横方向に拡幅して、球皿の球収容能力を増大したことを特徴とするものである。
【発明の効果】
【０００７】
本発明のパチンコ機は、従来は下皿の横側に配設されていた操作ハンドルを上方の上皿に移設したので、下皿の横にスペースを確保することができて、よって、下皿を横方向に拡幅して球収容能力を増大することができる。さらに、操作ハンドルを設けた上皿を横に拡幅することによって、上皿の球収容能力を増大することもできる。又、下皿の端部に手載せ台を一体に設けたので、遊技者は楽な姿勢で遊技を行うことができる。
また、本発明のパチンコ機は、球皿を上皿下皿一体型のものとして、当該球皿の上部に球発射用の操作ハンドルを設けたので、球皿を遊技盤面の横方向に拡幅して球皿の球収容能力を増大することができる。
【発明を実施するための最良の形態】
【０００８】
以下に図面を参照しつつ本発明の好ましい実施形態を説明する。
図１は、本発明の実施形態のパチンコ機を示す図であって、既記したように弾球槌９を下向きとすることによって遊技盤１は従来のものより下方に拡張されている。このパチンコ機において、操作ハンドル４は上皿２内に枢設されており、操作ハンドル４を下皿の横から移動することによって、下皿３が横方向(図では右方向)に拡幅されている。また、上皿２も操作ハンドル４を内部に取り込んで横方向に拡幅されているので、下皿３、上皿２の球の収容能力を、図９に示したパチンコ機より大幅に増加させることができる。
【０００９】
図２に上記操作ハンドル２の取り付け構造の詳細を示すが、台板１６に打球力調整用の可変抵抗器５の回動軸５ａがパチンコ機裏側から挿通され、この回動軸５ａに操作ハンドル４の支軸４ａが挿し込まれている。この操作ハンドル４は図示のように上皿２内に枢設されており、その把持部４ｂはほとんどが上皿２内に存在している。しかし、指掛け部４ｃは上皿２の開口部より上方に突出しているので、遊技者は指掛け部４ｃに指を掛けることによって操作ハンドル４を回動して球の発射速度を調整しつつ遊技を行うことができる。この実施形態の上皿２においては、操作ハンドル４の下面や前面と上皿２との隙間にも球を収容することができる。
【００１０】
なお、図３に示すように、可変抵抗機５の回動軸５ａを上皿２内を貫通させて、操作ハンドル４を上皿２の前方側面に枢設することによっても、上皿２を横方向に拡幅して球の収容能力を高めることができる。この実施形態の上皿２は図２のものよりも多量に球を収容することができる。
【００１１】
さらに、図４、５に示すように、操作ハンドル４の把持部４ｂの側面が上皿２の外側面を兼ねるように、操作ハンドル４を上皿２の端部に枢設することもできる。この場合には、把持部４ｂの一側面が上皿２の横側側面に露出されるので、遊技者はしっかりと操作ハンドル４を握ることができて、操作ハンドル４の回動をより確実に行うことができる。操作ハンドル把持部４ｂの側面と上皿２の内壁との間は、球１個分未満の隙間として球が落ちこぼれないようにする必要がある。なお、上記した操作ハンドル４は支軸４ａが直接球発射装置の可変抵抗器５につながる形態のものを示したが、操作ハンドル４の回動量が可変抵抗器５や光学的検出装置に入力されて、その入力量に応じた信号が球発射装置の発射力調整部に入力される構造であればよいので、図示の実施形態に何ら限定されるものではない。
【００１２】
さらに、図１０に示すように、下皿３の上部開口で操作ハンドル４下方の部分を覆って手載せ台２０を設けることによって遊技者は楽な姿勢で遊技を行うことができる。この手載せ台２０は下皿３の横に連設してもよい。手載せ台２０の上面は緩やかに凹状に湾曲させることができる。この手載せ台２０を下皿３と一体に成形することによって、部品点数を削減することができる。
【００１３】
図１１には、別の実施形態のパチンコ機を示す。このパチンコ機における球皿２１は上皿下皿一体型のものであって、賞球導入口２２から導入された球を貯留することができる。球皿２１の下部には開閉可能な球排出口２３が設けてあって、この球排出口２３より球箱などに球を排出することができる。球皿２１の上部には操作ハンドル４を設けて、球皿２１を遊技盤面の横方向に拡幅してあるので、球皿２１の球収容能力を従来よりも大幅に増大することができる。なお、既記したものと同様に操作ハンドル４を球皿２１内に、又は球皿２１の一方の端部に、又は球皿２１の前方側面に枢設することができる。
【００１４】
以上説明したように、従来は下皿の横側に配設されていた操作ハンドルを上方の上皿に移設することによって、下皿を横方向に拡幅して球収容能力を増大することができる。さらに、上皿を横に拡幅することによって、上皿の球収容能力をも増大することもできる。  したがって、本発明のパチンコ機は、遊技盤の遊技領域を下方に拡張した場合にも、上皿、下皿の球収容能力を減少させることがないという大きな利点を有する。
【図面の簡単な説明】
【００１５】
【図１】本発明のパチンコ機の正面図である。
【図２】図１のＡ−Ａ線断面図である。
【図３】操作ハンドルを上皿の前方側面に枢設したパチンコ機の要部断面図である。
【図４】別の実施形態のパチンコ機の正面図である。
【図５】図４のＢ−Ｂ線断面図である。
【図６】従来のパチンコ機の正面図である。
【図７】弾球発射装置の構造を示す斜視図である。
【図８】弾球槌を下向きに配設したパチンコ機の正面図である。
【図９】遊技領域が拡張された従来のパチンコ機の正面図である。
【図１０】下皿に手載せ台を設けたパチンコ機の正面図である。
【図１１】球皿が上皿下皿一体型であるパチンコ機の正面図である。
【符号の説明】
【００１６】
１  遊技盤
２  上皿
３  下皿
４  操作ハンドル
１１  入賞口
１２  センター役物
２０  手載せ台
２１  球皿
２２  賞球導入口
２３  球排出口
【図１】
2005204731.tif 000003
【図２】
2005204731.tif 000004
【図３】
2005204731.tif 000005
【図４】
2005204731.tif 000006
【図５】
2005204731.tif 000007
【図６】
2005204731.tif 000008
【図７】
2005204731.tif 000009
【図８】
2005204731.tif 000010
【図９】
2005204731.tif 000011
【図１０】
2005204731.tif 000012
【図１１】
2005204731.tif 000013